(57)【要約】【課題】建設現場の土の入れ替えに伴う基礎工事の再検討の手間を軽減する。【解決手段】実施形態に係る設計支援装置は、建設現場の第１の地表から構造体を支持する基礎の下端までの深さを含む設計情報と、ユーザによって指定される土の入れ替えを行う際に建設現場から除去される土の第１の地表からの深さと、を取得する取得部と、第１の地表から基礎の下端までの深さが、第１の地表から土が除去されたときの建設現場の第２の地表までの深さよりも浅い基礎を特定する特定部と、特定部が特定した基礎を表示する表示部と、を備える。【選択図】図４
2019053562.tif 000002
【特許請求の範囲】
【請求項１】
建設現場の第１の地表から構造体を支持する基礎の下端までの深さを含む設計情報と、ユーザによって指定される土の入れ替えを行う際に前記建設現場から除去される前記土の前記第１の地表からの深さと、を取得する取得部と、
前記第１の地表から前記基礎の下端までの深さが、前記第１の地表から前記土が除去されたときの前記建設現場の第２の地表までの深さよりも浅い前記基礎を特定する特定部と、
前記特定部が特定した前記基礎を表示する表示部と、
を備える設計支援装置。
【請求項２】
前記設計情報には、前記第１の地表を基準に設計された前記基礎の種別が含まれ、
前記特定部が特定した前記基礎の種別を前記設計情報に基づいて選択する種別選択部を備え、
前記表示部は、前記種別選択部が選択した前記基礎の種別を表示する、
請求項１に記載の設計支援装置。
【請求項３】
前記第１の地表を基準に設計された前記基礎の種別と土の入れ替えに伴う追加基礎工事の種別とを対応付けるテーブルを備え、
前記種別選択部は、前記テーブルに基づいて、前記特定部が特定した前記基礎に対応する追加基礎工事の種別を選択し、
前記表示部は、前記種別選択部が選択した追加基礎工事の種別を表示する、
請求項１または２に記載の設計支援装置。
【請求項４】
建設現場の土の入れ替えに伴う追加基礎工事の検討に適用する設計支援方法であって、
建設現場の第１の地表から建設対象の構造体を支持する基礎の下端までの深さを含む設計情報と、ユーザによって指定される土の入れ替えを行う際に前記建設現場から除去される前記土の前記第１の地表からの深さと、を取得する取得工程と、
前記第１の地表から前記基礎の下端までの深さが、前記第１の地表から前記土が除去されたときの前記建設現場の第２の地表までの深さよりも浅い前記基礎を特定する特定工程と、
前記特定工程で特定した前記基礎を表示する第１の表示工程と、
を含む設計支援方法。
【請求項５】
建設現場の土の入れ替えに伴う追加基礎工事の検討に適用する設計支援方法であって、
建設現場の第１の地表から建設対象の構造体を支持する基礎の下端までの深さを含む設計情報と、ユーザによって指定される土の入れ替えを行う際に前記建設現場から除去される前記土の前記第１の地表からの深さと、を取得する取得工程と、
前記第１の地表から前記基礎の下端までの深さが、前記第１の地表から前記土が除去されたときの前記建設現場の第２の地表までの深さよりも浅い前記基礎を特定する特定工程と、
前記特定工程で特定した前記基礎を表示する第１の表示工程と、
前記第１の表示工程で表示された基礎の何れかをユーザが指定したことを検出し、検出した基礎について前記設計情報で指定されている基礎の種別を特定し、特定した前記基礎の種別に対応する土の入れ替えに伴う追加基礎工事の種別を選択する種別選択工程と、
前記種別選択工程で選択した追加基礎工事の種別を表示する第２の表示工程と、
を含む設計支援方法。
【請求項６】
前記種別選択工程において、前記設計情報で指定されている基礎の種別が杭基礎工事である場合、前記第２の表示工程において、追加基礎工事がないことを表示する、
請求項５に記載の設計支援方法。
【請求項７】
前記種別選択工程において、前記設計情報で指定されている基礎の種別がマットタイプ基礎工事である場合、前記第２の表示工程において、前記第２の地表から土を埋め戻す地表まで捨コンを充填し、前記捨コンによってマットタイプ基礎を支持する追加基礎工事を表示する、
請求項５に記載の設計支援方法。
【請求項８】
前記種別選択工程において、前記設計情報で指定されている基礎の種別がスリーパータイプ基礎工事である場合で、土の入れ替えを行う際に前記建設現場から除去される前記土の前記第１の地表からの深さに対応させてスリーパータイプ基礎の基礎上部を延長するとスリーパータイプ基礎を補強する必要がある場合、前記第２の表示工程において、前記第２の地表から土を埋め戻す地表まで捨コンを充填し、前記捨コンによってスリーパータイプ基礎を支持する追加基礎工事を表示する、
請求項５に記載の設計支援方法。
【請求項９】
前記種別選択工程において、前記設計情報で指定されている基礎の種別がスリーパータイプ基礎工事である場合で、土の入れ替えを行う際に前記建設現場から除去される前記土の前記第１の地表からの深さに対応させてスリーパータイプ基礎の基礎上部を延長してもスリーパータイプ基礎を補強する必要がない場合、前記第２の表示工程において、前記除去される前記土の前記第１の地表からの深さに対応させてスリーパータイプ基礎の基礎上部を延長する追加基礎工事を表示する、
請求項５に記載の設計支援方法。
【請求項１０】
前記種別選択工程において、前記設計情報で指定されている基礎の種別がピット・トレンチタイプ基礎工事である場合、前記第２の表示工程において、前記第２の地表から土を埋め戻す地表にピット・トレンチタイプ基礎が埋まる高さまで捨コンを充填し、前記捨コンによってピット・トレンチタイプ基礎を支持する追加基礎工事を表示する、
請求項５に記載の設計支援方法。
【請求項１１】
コンピュータを
建設現場の第１の地表から構造体を支持する基礎の下端までの深さを含む設計情報、ユーザによって指定される土の入れ替えを行う際に前記建設現場から除去される前記土の前記第１の地表からの深さと、を取得する取得部、
前記第１の地表から前記基礎の下端までの深さが、前記第１の地表から前記土が除去されたときの前記建設現場の第２の地表までの深さよりも浅い前記基礎を特定する特定部、
前記特定部が特定した前記基礎を表示する表示部、
として機能させるための建設現場の土の入れ替えに伴う追加基礎工事の検討に適用するプログラム。
【発明の詳細な説明】
【技術分野】
【０００１】
本発明は、設計支援装置、設計支援方法、及びプログラムに関する。
【背景技術】
【０００２】
発電所、工場、マンション等の建設現場において、土の導電率の変更、排水性の改善、汚染土の入れ替え等の目的で、建設現場の表層の土を入れ替える場合がある。土を入れ替えたことにより、土の入れ替え前と入れ替え後とで、地盤の地耐力が変わることがある。そのため、土の入れ替え後の地耐力を測定し、土の入れ替え前に設計した建設対象の構造体を支持する基礎のそれぞれについて、基礎構造の再検討が必要になる場合がある。
【０００３】
しかしながら、表層の土の入れ替え後の地耐力を再測定し、複数の基礎のそれぞれについて基礎工事の再検討を行うことは、工費の高騰および日程遅延の要因となる。
【先行技術文献】
【特許文献】
【０００４】
【特許文献１】特開２００３−２６８７５６号公報
【発明の概要】
【発明が解決しようとする課題】
【０００５】
本発明は、上述の事情の下になされたもので、建設現場の土の入れ替えに伴う基礎工事の再検討の手間を軽減することを課題とする。
【課題を解決するための手段】
【０００６】
上記課題を解決するため、本実施形態に係る設計支援装置は、建設現場の第１の地表から構造体を支持する基礎の下端までの深さを含む設計情報と、ユーザによって指定される土の入れ替えを行う際に前記建設現場から除去される前記土の前記第１の地表からの深さと、を取得する取得部と、第１の地表から基礎の下端までの深さが、第１の地表から土が除去されたときの建設現場の第２の地表までの深さよりも浅い基礎を特定する特定部と、特定部が特定した基礎を表示する表示部と、を備える。
【図面の簡単な説明】
【０００７】
【図１】実施形態に係る設計支援装置の物理的構成図である。
【図２】建設する基礎および構造体の平面図である。
【図３】基礎工事の種別について説明するための図である。
【図４】実施形態に係る設計支援装置の機能構成図である。
【図５】特定部について説明するための図である。
【図６】種別選択部について説明するための図である。
【図７】種別選択部について説明するための図である。
【図８】種別選択部について説明するための図である。
【図９】種別選択部について説明するための図である。
【図１０】種別選択部について説明するための図である。
【図１１】実施形態に係る設計支援装置の動作を説明するためのフローチャートである。
【図１２】実施形態に係る設計支援装置の動作を説明するためのフローチャートである。
【発明を実施するための形態】
【０００８】
本実施形態に係る設計支援装置は、建設現場の土の入れ替えに伴う追加基礎工事の検討に使用する装置である。
【０００９】
設計支援装置１０は、物理的には、図１に示すように、ＣＰＵ（Central Processing Unit）１１、主記憶部１２、補助記憶部１３、表示部１４、入力部１５を有するコンピュータである。
【００１０】
ＣＰＵ１１は、補助記憶部１３に記憶されているプログラムに従って、後述する処理を実行する。
【００１１】
主記憶部１２は、ＲＡＭ（Random Access Memory）等を有している。主記憶部１２は、ＣＰＵ１１の作業領域として用いられる。
【００１２】
補助記憶部１３は、ＲＯＭ（Read Only Memory）、磁気ディスク、半導体メモリ等の不揮発性メモリを有している。補助記憶部１３は、ＣＰＵ１１が実行するプログラム、及び各種パラメータなどを記憶している。また、補助記憶部１３は、建設対象である基礎および構造体の三次元図面情報（設計情報）を記憶する。図２は、建設する基礎および構造体の平面図の一部である。構造体とは、建設対象の建物部分である。基礎とは、建設対象の建物部分を支持する基礎部分である。この三次元図面情報は、建設物の構造、荷重、地盤強度等に基づいて設計者が設計した基礎および構造体の平面寸法、断面寸法、各基礎および構造体の位置情報が含まれている。
【００１３】
位置情報とは、基準面（第１の地表）から複数の基礎のそれぞれの下端まで、および複数の構造体のそれぞれの下端までの深さもしくは高さの情報である。基準面とは、設計の基準となる任意の標高で定義された地表ある。実際の建設現場の地表には高低差がある。場所によって基準となる地表の標高が異なっていると図面上の高さの定義が複雑になる。そこで、任意の高さを基準にして基礎の設計が行われることが一般的である。ここで、基準面とする地表をＧＬ１（第１の地表）とする。また、土を除去した後の地表をＧＬ２（第２の地表）とする。各基礎および構造体の位置情報は、例えば、（ＧＬ１＋１．５ｍ）、（ＧＬ１−０．５ｍ）のようにＧＬ１を基準にして記載されている。土を埋め戻した後の地表は、ＧＬ１であるとする。
【００１４】
ここで、ユーザによって指定される土の入れ替えを行う際に建設現場から除去される土の基準面ＧＬ１（第１の地表）からの深さをＬとする。除去される土の深さＬは、ＧＬ１を基準とする深さである。したがって、元の地表が（ＧＬ１＋１ｍ）であり、除去する土の深さＬが１ｍである場合、実際に除去される土の深さは２ｍとなる。元の地表が（ＧＬ１−０．６ｍ）であり、除去する土の深さＬが１ｍである場合、実際に除去される土の深さは０．４ｍとなる。
【００１５】
また、三次元図面情報には、ＧＬ１（第１の地表）を基準にして設計された基礎工事の種別が含まれている。基礎工事の種別とは、基礎工事の内容を規定するものである。ここでは、基礎工事の種別を図３に示す杭基礎、マットタイプ基礎、スリーパータイプ基礎、ピット・トレンチタイプ基礎の４種類として以下説明する。杭基礎は、主に軟弱な地盤における構造体の建設において、浅い基礎では構造体を支持することができない地盤の場合に、深く杭を打ち込み、構造体を支持する場合に選択される。マットタイプ基礎は、べた基礎を改良したもので、地盤がそれほどよく無い場合に、鉄筋を入れて作られる平たい基礎である。スリーパータイプ基礎は、逆Ｔ字型の基礎である。水道やガス等の管路等を地表から浮かせて設置する場合に選択される。ピット・トレンチタイプ基礎は、溝・堀型の基礎である。水道やガス等の管路を地中に埋めて設置する場合などに選択される。また、補助記憶部１３は、図３に示すように、基準面ＧＬ１を基準に設計された基礎工事の種別に対応する土の入れ替えに伴う追加基礎工事の種別を記憶している。
【００１６】
表示部１４は、ＬＣＤ（Liquid Crystal Display）などの表示ユニットを有している。表示部１４は、ＣＰＵ１１の処理結果等を表示する。
【００１７】
入力部１５は、入力キーや、タッチパネル等のポインティングデバイスを有している。入力部１５を介して入力されたユーザの指示は、システムバス１６を経由してＣＰＵ１１に通知される。
【００１８】
設計支援装置１０のＣＰＵ１１によって処理される機能の構成を図４に示す。設計支援装置１０は、機能的には、図４に示すように、取得部５１、特定部５２、種別選択部５３、図面作成部５４を備える。
【００１９】
取得部５１は、ＧＬ１（建設現場の第１の地表）から構造体を支持する複数の基礎のそれぞれの下端までの深さを含む三次元図面情報(設計情報)を補助記憶部１３から取得する。また、取得部５１は、ユーザによって指定される土の入れ替えを行う際に建設現場から除去される土のＧＬ１からの深さＬを入力部１５から取得する。
【００２０】
特定部５２は、ＧＬ１（第１の地表）から複数の基礎のそれぞれの下端までの深さが、ＧＬ１からＧＬ２（土が除去されたときの建設現場の第２の地表）までの深さＬよりも浅い基礎を特定する。
【００２１】
具体的には、特定部５２は、基準面ＧＬ１を基準に設計された三次元図面情報に含まれている各基礎について、ＧＬ１から各基礎の下端までの深さと除去する土のＧＬ１からの深さＬとを比較する。そして、特定部５２は、ＧＬ２よりも浅い（高い）位置にある基礎を特定し、該当する基礎の三次元図面情報にフラグ情報を追加する。特定部５２は、フラグ情報が付加された基礎を表示部１４に強調表示する。図５に強調表示された図面の例を示す。図５では、基準面ＧＬ１を基準に設計された各基礎の下端が土を除去した後の地表ＧＬ２よりも浅い位置にある基礎が網掛け表示されている。
【００２２】
図４に戻り、種別選択部５３は、三次元図面情報に基づいて、特定部５２が特定した基礎の種別を選択する。また、種別選択部５３は、図３に示すテーブルに基づいて、ＧＬ１を基準に設計された構造体を支持する複数の基礎のそれぞれに対応する追加基礎工事の種別を選択する。三次元図面情報には、ＧＬ１を基準に設計されたそれぞれの基礎の基礎工事の種別が含まれている。強調して表示された基礎の何れかをユーザがマウス等でクリック選択すると、種別選択部５３は、クリック選択された基礎に係る基礎工事の種別を三次元図面情報に基づいて特定する。そして、種別選択部５３は、図３に示すテーブルを参照して、ＧＬ１を基準に設計された基礎工事の種別に対応する土の入れ替えに伴う追加基礎工事の種別を選択する。
【００２３】
追加基礎工事の種別の表示例を図６から図１０に示す。図６から図１０に例示する表示図形は、予め補助記憶部１３に記憶されている図形である。種別選択部５３は、図３に示すテーブルに基づいて、基礎工事の種別に対応する追加基礎工事を表す図形を補助記憶部１３から読み出して表示部１４に表示する。
【００２４】
図５に斜線で強調表示されている基礎の中で、ユーザがクリック選択した基礎を基礎７とする。例えば、ユーザがクリック選択した基礎７の基礎工事の種別が杭基礎であった場合、種別選択部５３は、図６に示すように、追加基礎工事が無い旨を表示する。杭基礎の場合、杭にて基礎を支持しているので、土の入れ替えによる地盤の影響を受けることがなく、追加基礎工事が不要だからである。
【００２５】
例えば、ユーザがクリック選択した基礎７の基礎工事の種別がマットタイプ基礎であった場合、種別選択部５３は、図７に示すような図面を表示する。具体的には、種別選択部５３は、ＧＬ１の高さでマットタイプ基礎１を支持するように、ＧＬ２からＧＬ１（正確には、マットタイプ基礎の所定の厚さを除く）まで捨コン２を充鎮する追加基礎工事の図面を表示する。捨コンとは、地盤上に砂利を敷いて平らに仕上げるコンクリートをいう。つまり、深さＬの捨コン２の充填が追加基礎工事である。この追加基礎工事では、マットタイプ基礎１の下を捨コン２とすることにより、入れ替えた土の影響を無くすことができる。
【００２６】
例えば、ユーザがクリック選択した基礎７の基礎工事の種別がスリーパータイプ基礎であった場合、種別選択部５３は、構造検討により追加基礎工事の種別を選択する。土を除去した後においても、スリーパータイプ基礎によって支えられる構造体の高さを土を除去する前と同じ高さにするための追加基礎工事の種別として、２つの追加基礎工事の種別を説明する。一つは、スリーパータイプ基礎の下に捨コン２を充填して高さを調整する図８に示すスリーパータイプＡの追加基礎工事である。二つ目は、スリーパータイプ基礎４の基礎上部４ａを延長して高さを調整する図９に示すスリーパータイプＢの追加基礎工事である。図９に示すＴ字状の縦方向に延びる部分が基礎上部４ａであり、横方向に延びる部分が基礎下部４ｂである。スリーパータイプ基礎４の基礎上部４ａを延長した基礎をスリーパータイプ基礎５とする。
【００２７】
スリーパータイプ基礎４の下に捨コン２を充填するよりも、スリーパータイプ基礎４の基礎上部４ａを延長した方が、工費が安くなる。しかし、スリーパータイプ基礎４の基礎上部４ａを延長したスリーパータイプ基礎５は、スリーパータイプ基礎４に比べて耐荷重が弱くなるという問題がある。耐荷重が不足する場合、スリーパータイプ基礎５を補強する必要がある。スリーパータイプ基礎５を補強するには、鉄筋サイズを太くしたり鉄筋の本数を増やす必要があるので、工費が高くなる。したがって、補強が必要となる場合、種別選択部５３は、スリーパータイプＢの追加基礎工事を選択しない。
【００２８】
種別選択部５３は、図９に示すように、入れ替える土のＧＬ１からの深さＬに対応させてスリーパータイプ基礎４の基礎上部４ａを延長部分５ａだけ延長してスリーパータイプ基礎５とした場合、スリーパータイプ基礎５を補強する必要があるか否かを判断する。具体的には、種別選択部５３は、スリーパータイプ基礎５に加わる構造体（建物部分）の荷重を三次元図面情報から取得する。そして、種別選択部５３は、スリーパータイプ基礎５の耐荷重（閾値）とスリーパータイプ基礎５に加わる構造体の荷重とを比較する。
【００２９】
種別選択部５３は、スリーパータイプ基礎５に加わる構造体の荷重が閾値以上である場合、図８に示すようなスリーパータイプＡの追加基礎工事の図面を表示する。種別選択部５３は、ＧＬ１にてスリーパータイプ基礎４を支持するように、ＧＬ２からＧＬ１まで捨コン２を充鎮する追加基礎工事の図面を表示する。この場合、捨コン２の充填が追加基礎工事である。スリーパータイプＡの追加基礎工事では、スリーパータイプ基礎４の下を捨コン２とすることにより、入れ替えた土の影響を無くすことができる。
【００３０】
一方、種別選択部５３は、スリーパータイプ基礎５に加わる構造体の荷重が閾値以下である場合、図９に示すようなスリーパータイプＢの追加基礎工事の図面を表示する。スリーパータイプ基礎５を補強する必要がない場合、基礎上部４ａを延長した方が捨コン２を充填するよりも工費が安くなるからである。スリーパータイプＢの追加基礎工事では、スリーパータイプ基礎４の基礎上部４ａを延長して網掛けで示す延長部分５ａを追加する。スリーパータイプ基礎４は、ＧＬ１を基準に設計された基礎部分である。また、スリーパータイプＢの追加基礎工事では、基礎下部４ｂの下にベース部分５ｂとして捨コン２の追加基礎工事を行うようにしてもよい。スリーパータイプＢの追加基礎工事では、スリーパータイプ基礎５で構造体を支持するので、入れ替えた土の影響を無くすことができる。
【００３１】
また、ユーザがクリック選択した基礎７の基礎工事の種別がピット・トレンチタイプ基礎６であった場合、種別選択部５３は、図１０に示すような追加基礎工事の図面を表示する。具体的には、種別選択部５３は、図１０に示すように、土を入れ替えた後の地表にピット・トレンチタイプ基礎６が埋まる高さまで捨コン２を充填し、捨コン２によってピット・トレンチタイプ基礎６を支持する追加基礎工事の図面を表示する。つまり、捨コン２の充填が追加基礎工事である。この追加基礎工事では、ピット・トレンチタイプ基礎６の下を捨コン２とすることにより、入れ替えた土の影響を無くすことができる。
【００３２】
図４に戻り、図面作成部５４は、図７から図１０に示した図面に、追加基礎工事に必要な寸法を追加した図面を作成する。具体的には、図面作成部５４は、図７から図１０に示す図面に、ユーザによって指定される土の入れ替えを行う際に除去される土のＧＬ１からの深さＬ、三次元図面情報に含まれる基礎の形状寸法等を盛り込んだ工事断面図、平面図等を作成する。そして、図面作成部５４は、作成した図面を表示部１４に表示する。
【００３３】
次に、上述のように構成される設計支援装置１０の動作について、図面を参照して説明する。
【００３４】
図１１のフローチャートは、ＣＰＵ１１によって実行されるプログラムの一連の処理アルゴリズムに対応している。図１１のフローチャートに示される一連の図面作成処理は、例えば、ユーザが本実施形態に係る設計支援装置１０のソフトウエアを起動することにより実行される。
【００３５】
ユーザは、本実施形態に係る設計支援装置１０のソフトウエアを起動すると、ソフトウエアの指示に従って建設対象の三次元図面情報を指定する。ＣＰＵ１１は、ユーザが指定した三次元図面情報を補助記憶部１３から取得する（ステップＳ１０１）。ＣＰＵ１１は、取得した三次元図面情報から基準面とされている地表の高さＧＬ１を取得する（ステップＳ１０２）。ユーザがソフトウエアの画面指示に従って入れ替える土のＧＬ１からの深さＬを入力すると、取得部５１は、その深さＬを取得する（ステップＳ１０３）。次に、ＣＰＵ１１は、土を除去した後の地表ＧＬ２を算出する（ステップＳ１０４）。具体的には、ＣＰＵ１１は、ＧＬ２＝ＧＬ１−Ｌの計算を行う。
【００３６】
次に、ＣＰＵ１１は、三次元図面情報の各基礎について、ＧＬ１から各基礎の下端までの深さと入れ替える土のＧＬ１からの深さＬとを比較し、ＧＬ２より浅い位置にある基礎を特定する。そして、ＣＰＵ１１は、図５に示すように、土の入れ替えに伴って基礎工事の再検討が必要となる基礎をユーザが認識しやすいようにハイライト表示する（ステップＳ１０５）。図５に示す例では、該当する基礎を網掛け表示しているが、カラー表示するようにしてもよい。また、ＣＰＵ１１は、特定した基礎のみを表示してもよい。
【００３７】
このハイライト表示された基礎の何れかをユーザがクリック選択すると、ＣＰＵ１１は、三次元図面情報に基づいて、クリック選択された基礎に係る基礎工事の種別を特定する（ステップＳ１０６）。例えば、ＣＰＵ１１は、杭基礎、マットタイプ基礎、スリーパータイプ基礎、ピット・トレンチタイプ基礎のように特定する。
【００３８】
次に、ＣＰＵ１１は、種別選択部５３にて、土の入れ替えに伴って必要となる追加基礎工事の種別を選択する（ステップＳ１０７）。追加基礎工事の種別選択処理については、図１２を参照して説明する。
【００３９】
追加基礎工事の種別選択処理が開始されると、ＣＰＵ１１は、ステップＳ１０６の処理で特定した基礎工事の種別が、杭基礎であるか否かを判別する（ステップＳ２０１）。ＣＰＵ１１は、特定した基礎工事の種別が杭基礎であった場合（ステップＳ２０１：Ｙｅｓ）、図６に示すように追加基礎工事がない旨の表示を行う（ステップＳ２０２）。
【００４０】
ＣＰＵ１１は、特定した基礎工事の種別が杭基礎でない場合（ステップＳ２０１：Ｎｏ）、ステップＳ１０６の処理で特定した基礎工事の種別が、マットタイプ基礎であるか否かを判別する（ステップＳ２０３）。ＣＰＵ１１は、特定した基礎工事の種別がマットタイプ基礎であった場合（ステップＳ２０３：Ｙｅｓ）、図７に示すようにマットタイプ基礎１の下に捨コン２を充填する追加基礎工事の表示を行う（ステップＳ２０４）。
【００４１】
ＣＰＵ１１は、特定した基礎工事の種別がマットタイプ基礎でない場合（ステップＳ２０３：Ｎｏ）、ステップＳ１０６の処理で特定した基礎工事の種別が、スリーパータイプ基礎であるか否かを判別する（ステップＳ２０５）。ＣＰＵ１１は、特定した基礎工事の種別がスリーパータイプ基礎であった場合（ステップＳ２０５：Ｙｅｓ）、入れ替える土のＧＬ１からの深さＬだけスリーパータイプ基礎４の基礎上部４ａを延長したスリーパータイプ基礎５にすると、スリーパータイプ基礎５の補強が必要になるか否かを判断する（ステップＳ２０６）。スリーパータイプ基礎５の補強とは、鉄筋の太さを太くしたり、鉄筋の本数を増加したりして、耐荷重を増加することを言う。スリーパータイプ基礎４の基礎上部４ａを延長したスリーパータイプ基礎５にすると、スリーパータイプ基礎５の補強が必要になる場合（ステップＳ２０６：Ｙｅｓ）、ＣＰＵ１１は、図８に示すようにスリーパータイプ基礎４の下に捨コン２を充填するスリーパータイプＡの追加基礎工事の表示を行う（ステップＳ２０７）。一方、スリーパータイプ基礎４の基礎上部４ａを延長してもスリーパータイプ基礎５の補強を必要としない場合（ステップＳ２０６：Ｎｏ）、ＣＰＵ１１は、図９に示すように基礎上部４ａを延長するスリーパータイプＢの追加基礎工事の表示を行う（ステップＳ２０８）。この時、スリーパータイプ基礎４の下のベース部分５ｂに捨コン２を充填する追加基礎工事の表示を行ってもよい。
【００４２】
一方、ＣＰＵ１１は、特定した基礎工事の種別がスリーパータイプ基礎でない場合（ステップＳ２０５：Ｎｏ）、ステップＳ１０６の処理で特定した基礎工事の種別が、ピット・トレンチタイプ基礎であるか否かを判別する（ステップＳ２０９）。ＣＰＵ１１は、特定した基礎工事の種別がピット・トレンチタイプ基礎であった場合（ステップＳ２０９：Ｙｅｓ）、図１０に示すようにピット・トレンチタイプ基礎６の下に捨コンを充填する追加基礎工事の表示を行う（ステップＳ２１０）。ＣＰＵ１１は、特定した基礎工事の種別がピット・トレンチタイプ基礎でない場合（ステップＳ２０９：Ｎｏ）、処理を終了する。
【００４３】
図１１に戻り、ＣＰＵ１１は、種別選択処理が終わると、図面作成処理を行う（ステップＳ１０８）。具体的には、ＣＰＵ１１は、図７から図１０に示す追加基礎工事の種別を示す図面に、入れ替える土のＧＬ１からの深さＬ等の数値等を追加した工事断面図、平面図等を作成し、表示部１４に表示する。
【００４４】
以上に説明したように、本実施形態に係る設計支援装置１０は、ＧＬ１から基礎の下端までの深さが、ＧＬ１からＧＬ２までの深さよりも浅い基礎を特定し、ＧＬ２よりも浅い位置にある基礎を強調表示する。これにより、土の入れ替えに伴う追加基礎工事の検討を必要とする基礎を見やすく表示することができる。
【００４５】
また、本実施形態に係る設計支援装置１０は、強調表示された基礎の何れかをユーザが指定すると、ユーザが指定した基礎の三次元図面情報に含まれている基礎工事の種別を表示する。これにより、ユーザは、土の入れ替えに伴って追加検討する必要がある基礎について、ＧＬ１を基準に設計された基礎の種別を容易に把握することができる。
【００４６】
また、本実施形態に係る設計支援装置１０は、強調表示された基礎の何れかをユーザが指定すると、ユーザが指定した基礎の三次元図面情報に含まれている基礎工事の種別に基づいて、指定された基礎の追加基礎工事の種別を選択して表示する。これにより、建設現場の土の入れ替えに伴う基礎工事の再検討の手間を軽減することができる。したがって、工期の遅延を防止することができる。また、建設現場の土を入れ替えた後の地耐力の再測定を省略することができる。
【００４７】
なお、上記の説明では、基礎工事の種別が図３に示した４種類の場合について説明したが、基礎工事の種別を４種類に限定する必要はない。種別の種類を増やしてもよいし減らしてもよい。また、基礎工事の種別も図３に示した種別に限定する必要はない。また、追加基礎工事の内容も図６から図１０に示した内容に限定する必要はない。基礎工事の種別と追加基礎工事の内容とが対応付けられていればよい。
【００４８】
また、上記の説明では、特定部５２がＧＬ２よりも浅い位置にある基礎を特定して強調表示する場合について説明した。しかし、強調表示の内容はこれに限定する必要はない。例えば、ＧＬ２よりも浅い位置にある基礎およびその基礎の上に建設する構造体を特定して強調表示するようにしてもよい。
【００４９】
また、上記の説明では、種別選択部５３が追加基礎工事の種別の選択結果を表示部１４に表示する説明をしたが、種別選択部５３による表示を省略し、図面作成部５４が作成した寸法が含まれている図面のみを表示するようにしてもよい。
【００５０】
また、図１１及び図１２に示したフローチャートは一例であり、処理順序等を限定するものではない。例えば、ステップＳ２０１，Ｓ２０３，Ｓ２０５，Ｓ２０９の判断順序を変更してもよい。
【００５１】
また、上記の説明では、スリーパータイプ基礎に対応する追加基礎工事をスリーパータイプＡとスリーパータイプＢに分類して説明をした。しかし、スリーパータイプＢの追加工事を無くして、図８に示すスリーパータイプＡの追加工事のみにしてもよい。
【００５２】
また、上記の説明では、土を埋め戻した後の地表がＧＬ１である場合について説明したが、埋め戻した後の地表がＧＬ１でなくてもよい。この場合、図７、図８、図１０を用いて説明した捨コンを充填する深さは、ＧＬ２から埋め戻した後の地表までとなる。つまり、基礎が埋め戻した土によってではなく捨コンによって支持されるようにする。
【００５３】
以上、本発明の実施形態を説明したが、これらの実施形態は、例として提示したものであり、発明の範囲を限定することは意図していない。これら新規な実施形態は、その他の様々な形態で実施しうるものであり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５４】
１    マットタイプ基礎
２    捨コン
４    スリーパータイプ基礎
４ａ  基礎上部
４ｂ  基礎下部
５    基礎上部が延長されたスリーパータイプ基礎
５ａ  基礎上部の延長部分
５ｂ  ベース部分
６    ピット・トレンチタイプ基礎
７    ユーザがクリック選択したハイライト表示された基礎
１０  設計支援装置
１１  ＣＰＵ
１２  主記憶部
１３  補助記憶部
１４  表示部
１５  入力部
１６  システムバス
５１  取得部
５２  特定部
５３  種別選択部
５４  図面作成部
Ｌ  入れ替える土のＧＬ１からの深さ
ＧＬ１  基準面（第１の地表）
ＧＬ２  土を除去した後の地表（第２の地表）
【図１】
2019053562.tif 000003
【図２】
2019053562.tif 000004
【図３】
2019053562.tif 000005
【図４】
2019053562.tif 000006
【図５】
2019053562.tif 000007
【図６】
2019053562.tif 000008
【図７】
2019053562.tif 000009
【図８】
2019053562.tif 000010
【図９】
2019053562.tif 000011
【図１０】
2019053562.tif 000012
【図１１】
2019053562.tif 000013
【図１２】
2019053562.tif 000014